(57)【要約】      （修正有）【課題】或る無線アクセス技術（ＲＡＴ）を用いる第１の無線アクセスネットワーク（ＲＡＮ）から、異なるＲＡＴを用いる第２のＲＡＮに無線装置をハンドオーバする方法及びシステムを提供する。【解決手段】第１のＲＡＮは、ロング・ターム・エボリューション（ＬＴＥ）技術を利用する第２のＲＡＮに無線装置をハンドオーバする処理を、第３世代（３Ｇ）無線技術を用いて開始し得る。ハンドオーバ処理の一部として、第２のＲＡＮは、無線装置が近接インジケーション報告を設定することを可能にする近接インジケーション設定情報を付加的に含むハンドオーバコマンドメッセージを生成する。このハンドオーバコマンドメッセージは、第１のＲＡＮを介して無線装置に伝送され、近接インジケーション報告を設定すること、及び第１のＲＡＮから第２のＲＡＮへのハンドオーバを実行することに利用される。【選択図】図４
2011151801.tif 000002
【特許請求の範囲】
【請求項１】
無線アクセス技術（ＲＡＴ）間ハンドオーバ手順の一部として、無線装置内で近接インジケーション報告を設定する方法であって：
第１のＲＡＴシステムから第２のＲＡＴシステムに前記無線装置をハンドオーバするＲＡＴ間ハンドオーバ手順の一部として、前記第１のＲＡＴシステムから、前記第２のＲＡＴシステムによって生成されたメッセージを含むハンドオーバコマンドを受信するステップであり、
前記メッセージは複数のデータセットを含み、
前記複数のデータセットのうちの第１のデータセットは、前記第１のＲＡＴシステムから前記第２のＲＡＴシステムに前記無線装置をハンドオーバするための情報を含み、且つ
前記複数のデータセットのうちの第２のデータセットは、前記ＲＡＴ間ハンドオーバ手順の一部として前記無線装置内で近接インジケーション報告を設定するための近接インジケーション報告情報を含む、
受信するステップ；
前記ＲＡＴ間ハンドオーバ手順の一部として、前記メッセージに応答して、前記無線装置が前記近接インジケーション報告を設定するステップ；及び
前記第１のＲＡＴシステムから前記第２のＲＡＴシステムへの前記無線装置のハンドオーバを実行するステップ；
を有する方法。
【請求項２】
前記第１のＲＡＴシステムは、ＧＳＭ、ＧＰＲＳ、ＵＴＲＡ又はＣＤＭＡ２０００のシステムなどの非ＥＵＴＲＡＮシステムであり、前記第２のＲＡＴシステムはロング・ターム・エボリューション（ＬＴＥ）システムである、請求項１に記載の方法。
【請求項３】
前記メッセージはRCCConnectionReconfigurationメッセージである、請求項１に記載の方法。
【請求項４】
前記近接インジケーション報告情報は、前記無線装置における近接インジケーション報告を有効あるいは無効にするパラメータを含み、該パラメータが近接インジケーション報告を有効にすることを指し示すとき、前記無線装置は近接インジケーション報告を行うことを可能にする、請求項１に記載の方法。
【請求項５】
無線アクセス技術（ＲＡＴ）間ハンドオーバ手順の一部として、無線装置の近接インジケーション報告を設定する方法であって：
第２のＲＡＴシステムにて、第１のＲＡＴシステムから、ハンドオーバ（ＨＯ）準備要求メッセージを受信するステップ；
前記第２のＲＡＴシステムにて、メッセージ内に第１のデータセットを生成するステップであり、前記第１のデータセットは、前記第１のＲＡＴシステムから前記第２のＲＡＴシステムに前記無線装置をハンドオーバするための情報を含む、ステップ；
前記第２のＲＡＴシステムにて、前記メッセージ内に第２のデータセットを生成するステップであり、前記第２のデータセットは近接インジケーション報告情報を含み、前記第２のデータセットは、前記ＲＡＴ間ハンドオーバ手順の一部として前記無線装置内で近接インジケーション報告を設定するために第２のＲＡＴシステムによって使用される、ステップ；
前記第２のＲＡＴシステムにて、前記メッセージを前記第１のＲＡＴシステムに送信するステップ；
前記第１のＲＡＴシステムにて、前記メッセージをＨＯコマンドにカプセル化するステップ；
前記第１のＲＡＴシステムにて、前記ＨＯコマンドを前記無線装置に送信するステップ；
前記無線装置にて、前記第２のデータセットに基づいて、近接インジケーション報告を設定するステップ；及び
前記無線装置にて、前記第１のＲＡＴシステムから前記第２のＲＡＴシステムへのハンドオーバを実行するステップ；
を有する方法。
【請求項６】
前記メッセージはRCCConnectionReconfigurationメッセージである、請求項５に記載の方法。
【請求項７】
前記近接インジケーション報告情報は、前記無線装置における近接インジケーション報告を有効あるいは無効にするパラメータを含み、該パラメータが近接インジケーション報告を有効にすることを指し示すとき、前記無線装置は近接インジケーション報告を行うことを可能にする、請求項６に記載の方法。
【請求項８】
前記近接インジケーション報告情報はReportProximityConfigメッセージを含む、請求項５に記載の方法。
【請求項９】
前記ReportProximityConfigメッセージはクローズド・サブスクライバ・グループの近接性を報告する、請求項８に記載の方法。
【請求項１０】
無線アクセス技術（ＲＡＴ）間ハンドオーバ通信処理を用いて、移動式装置における近接インジケーション報告を設定するシステムであって：
第１の無線アクセス技術（ＲＡＴ）システムであり：
第１のハンドオーバ要求を生成するように構成されたプロセッサと、
前記第１のハンドオーバ要求を、前記移動式装置への送達のために送信する通信モジュールと
を有し、前記第１のハンドオーバ要求は第１のデータセット及び第２のデータセットを含み、前記第１のデータセットは、移動式装置に当該第１のＲＡＴシステムからサービスを受けさせるための情報を含み、前記第２のデータセットは、前記移動式装置に前記移動式装置における近接インジケーション報告を設定させるための情報を含む、第１のＲＡＴシステム；並びに
第２のＲＡＴシステムであり：
前記移動式装置への送達のために前記第１のハンドオーバ要求を受信し、第２のハンドオーバ要求を前記移動式装置に送信するように構成された通信モジュールと、
前記第２のハンドオーバ要求を作成するように構成されたプロセッサと
を有する第２のＲＡＴシステム；
を有し、
前記第２のハンドオーバ要求は前記第１のハンドオーバ要求を含み、且つ
前記移動式装置は、当該移動式装置が前記第２のデータセットに基づいて前記第１のＲＡＴシステム内のＲＡＴオブジェクトを検出し且つ前記第１のＲＡＴシステムからパケット交換サービスを受ける、ことを可能にするように構成されている、
システム。
【請求項１１】
前記第２のＲＡＴシステムは、ＧＳＭ、ＧＰＲＳ、ＵＴＲＡ又はＣＤＭＡ２０００のシステムなどの非ＥＵＴＲＡＮシステムであり、前記第１のＲＡＴシステムはロング・ターム・エボリューション（ＬＴＥ）システムである、請求項１０に記載のシステム。
【請求項１２】
前記第１のハンドオーバ要求はRCCConnectionReconfigurationメッセージである、請求項１０に記載のシステム。
【請求項１３】
前記第２のハンドオーバ要求は、パケット交換（ＰＳ）HANDOVER  COMMANDメッセージ、又はHANDOVER  FROM  UTRAN  COMMANDメッセージである、請求項１０に記載のシステム。
【請求項１４】
前記第２のデータセットの前記情報が、前記近接インジケーション報告を有効にすることを指し示すとき、前記移動式装置は近接インジケーション報告を行うことを可能にする、請求項１０に記載のシステム。
【請求項１５】
前記第２のデータセットの前記情報は、前記クローズド・サブスクライバ・グループの近接性を報告するためのReportProximityConfigメッセージを含む、請求項１０に記載のシステム。
【発明の詳細な説明】
【技術分野】
【０００１】
本発明は、無線通信システムにおいて近接インジケーション（proximity  indication）を設定する方法及びシステムに関する。
【背景技術】
【０００２】
ここ数十年の間に、電話システムは絶えず加速的に進化を遂げてきた。第3世代移動体通信システムの標準化プロジェクト（３ＧＰＰ）によって主導されるロング・ターム・エボリューション（ＬＴＥ）システムは今や、高データレート、低レイテンシ、パケット最適化、並びに向上されたシステム容量及びカバレッジを提供する新たな無線アクセス技術（radio  access  technology；ＲＡＴ）であり且つ核となる無線ネットワークアーキテクチャであると見なされている。ＬＴＥシステムにおいて、発展型ユニバーサル地上無線アクセスネットワーク（Evolved  Universal  Terrestrial  Radio  Access  Network；ＥＵＴＲＡＮ）は、複数のｅＮＢ（evolved  Node-B）基地局を含み、複数の移動局と通信する。移動局はユーザ機器（user  equipment；ＵＥ）とも呼ばれる。
【０００３】
遠隔通信における別の進化はフェムトセルの導入である。フェムトセルは小さいセルラー基地局であり、典型的に家庭又は中小企業内で使用するために設計されている。フェムトセルは一般的に、ブロードバンド（例えば、ＤＳＬ又はケーブルなど）を介してサービスプロバイダのネットワークに接続し、現行設計は典型的に、住宅設定で２から４個のアクティブＵＥ、企業設定で８から１６個のアクティブ携帯電話をサポートする。フェムトセルは、特に、別の方法ではアクセスが制限されたり利用可能でなかったりする場合に、サービスプロバイダがサービス対象範囲を屋内に拡張することを可能にする。フェムトセルは、ＬＴＥ用語でホームｅＮＢ（ＨｅＮＢ）と呼ばれ、一種のＲＡＴオブジェクトである。ＲＡＴオブジェクト又はメジャメントオブジェクトは、一般的に、ＵＥが測定量及び対応するオブジェクト情報を計測する対象となるオブジェクトである。ＲＡＴオブジェクトは、考慮されるべき単一のセル又は複数セルのリストと、例えば周波数特定オフセット又はセル特定オフセットといった関連パラメータとを含み得る。典型的に、複数のＨｅＮＢが１つ以上のクローズド・サブスクライバ・グループ（closed  subscriber  group；ＣＳＧ）の幾つかのＨｅＮＢの非強調的な大規模配備に関連付けられ、故に、オペレータの基幹ネットワークへの接続が効率的に実現される必要がある。ＣＳＧは或るフェムトセルへのアクセスを許された特定のＵＥのグループである。フェムトセルからシステム・インフォメーション・ブロック（ＳＩＢ）メッセージにてＣＳＧ−ＩＤがブロードキャストされ、（一般に、ＵＥ上で記憶される）ＳＣＧ  ＩＤのＣＳＧホワイトリストによって定められる該グループのメンバーであるＵＥのみが、該セルを選択することを試みる。
【０００４】
ＵＥをＣＳＧにハンドオーバすることを決定する前に、ｅＮＢ（すなわち、マクロｅＮＢ）は一般的に、対象とするＣＳＧセルに関係するＵＥ計測情報を取得する必要がある。ＵＥがそのような計測を効率的に行うことを可能にするため、無線リソース制御（radio  resource  control；ＲＲＣ）接続再設定メッセージを介して、新たに定められる近接性レポートをＵＥ内で構成することができる。この近接性レポートは、ＵＥがＵＥのＣＳＧホワイトリスト内のＣＳＧ  ＩＤを有する１つ以上のセルの近傍に入る、あるいは該近傍から立ち去るときにいつでも、ＵＥが所謂“近接インジケーション”をソースｅＮＢに送信することを可能にする。故に、そのＣＳＧセルの近くにあることを決定することができるＵＥは、計測又はハンドオーバの準備のために必要な行動を取るようにネットワークに話し掛けることが可能である。
【０００５】
ＲＲＣ接続再設定手順は、ＵＥのＲＲＣ接続を変更するため（例えば、無線ベアラを構築／変更／解放するため）、ハンドオーバを実行するため、あるいは計測を設定／変更／解放するために、ＥＵＴＲＡＮのＲＲＣレイヤによって使用される。ＵＥは、ＲＲＣ接続再設定メッセージを受信すると、該メッセージ内の情報に基づいてＲＲＣ接続再設定手順を実行する。例えば、ＥＵＴＲＡＮは、ＣＳＧへのＵＥモビリティの制御を支援するための計測情報を報告するようにＵＥを設定することができる。また、ＥＵＴＲＡＮは、ＲＲＣ接続再設定メッセージを介して、レガシー無線ネットワーク（ＧＰＲＳ、ＵＴＲＡ、ＣＤＭＡ２０００）からＥＵＴＲＡＮへのＲＡＴ間ハンドオーバのためにＵＥを設定することができる。しかしながら、ＲＲＣ接続再設定メッセージの受信及び処理は、ＲＲＣメッセージに従うためにＵＥに必要とされる電池パワー量及び遅延の点でコストが掛かるものである。
【先行技術文献】
【特許文献】
【０００６】
【特許文献１】米国特許第７１８１２１８号明細書
【特許文献２】米国特許第７６２６９５６号明細書
【特許文献３】米国特許出願公開第２００５／０００３８１９号明細書
【特許文献４】米国特許出願公開第２００６／０１９４５８０号明細書
【特許文献５】米国特許出願公開第２００７／００２６８６６号明細書
【特許文献６】米国特許出願公開第２００７／００３７５９４号明細書
【特許文献７】米国特許出願公開第２００７／０２１３０５５号明細書
【特許文献８】米国特許出願公開第２００７／０２１３０５９号明細書
【特許文献９】米国特許出願公開第２００８／００１４９５７号明細書
【特許文献１０】米国特許出願公開第２００９／０２０７８０５号明細書
【特許文献１１】米国特許出願公開第２０１０／００５６１５０号明細書
【特許文献１２】韓国特許出願公開第２００９／００９８６３８号明細書
【特許文献１３】国際公開第２００８／１３１５８８号パンフレット
【特許文献１４】国際公開第２００９／１０３１８９号パンフレット
【特許文献１５】国際公開第２００９／１４２９６３号パンフレット
【非特許文献】
【０００７】
【非特許文献１】3rd  Generation  Partnership  Project，“3GPP  TS  36.331  V9.1.0(2009-12)”，Technical  Specification  Group  Radio  Access  Network；Evolved  Universal  Terrestrial  Radio  Access  (E-UTRA)  Radio  Resource  Control  (RRC)；Protocol  Specification  (Release  9)，2009年12月，pp.1-232
【発明の概要】
【発明が解決しようとする課題】
【０００８】
ハンドオーバ処理及び近接インジケーション設定処理の双方に単一のＲＲＣ接続再設定メッセージを利用することによって、ＲＡＴ間ハンドオーバ手順の一部として近接インジケーション報告に関してＵＥを設定する方法及びシステムが提供される。
【課題を解決するための手段】
【０００９】
一実施形態において、ｅＮＢは、非ＥＵＴＲＡＮからのＲＡＴ間ハンドオーバの一部としてＥＵＴＲＡＮによって使用されるＲＲＣ接続再設定メッセージ内に、近接インジケーション設定情報を含める。近接インジケーション設定情報は、該メッセージ内に既存の情報に追加される。該メッセージは、非ＥＵＴＲＡＮ内のノードを介してＵＥに送られ、非ＥＵＴＲＡＮは該メッセージをＵＥに透過的に転送する。
【００１０】
一部の実施形態において、ＵＥは、上記メッセージを受信すると、ＲＡＴ間ハンドオーバ手順と近接インジケーション設定とを実質的に同時に実行する。上記メッセージ内の近接インジケーション情報に基づいて、ＥＵＴＲＡＮは、ＵＥの可動性を支援するための計測情報を報告するようにＵＥを設定することができる。
【００１１】
更なる一実施形態において、ＲＲＣ接続再設定メッセージ内の近接インジケーション情報の受信を受けて、ＵＥは、当該ＵＥの電波近接範囲内の１つ以上のＨｅＮＢ及び／又はＣＳＧを検出し、それらについて報告することができる。報告された情報は、ソースｅＮＢからＨｅＮＢ又はＣＳＧセルへのＵＥの第２のハンドオーバを実行するために、ｅＮＢによって使用されることが可能である。
【発明の効果】
【００１２】
ここで提示されるソリューションにより、ＵＥをＥＵＴＲＡＮにハンドオーバし且つ近接インジケーションを報告するようにＵＥを設定するために複数の別個のメッセージを構築する従来技術に係る方法の時間上及び消費電力上の制約が解消される。
【図面の簡単な説明】
【００１３】
添付図面中の図にて、本発明の１つ以上の実施形態を限定ではなく例として示す。図面において、似通った参照符号は同様の要素を指し示す。
【図１】ユーザ機器（ＵＥ）を例示する図である。
【図２】複数の異なるＲＡＴとＵＥとの間での通信フローを示すハイレベル図である。
【図３】ＵＥのハードウェアアーキテクチャの一例を示すハイレベルブロック図である。
【図４】ＵＥのＲＡＴ間ハンドオーバにおける非ＥＵＴＲＡＮ、ＥＵＴＲＡＮ及びＵＥの間での通信の一例を示す図である。
【図５ａ】ＲＲＣ接続再設定メッセージの詳細の一例を示す図である。
【図５ｂ】図５ａのＲＲＣ接続再設定メッセージをＵＥに送信するために使用される非ＥＵＴＲＡＮからのハンドオーバコマンドの一例を示す図である。
【図６】ＲＲＣ接続再設定メッセージ内での近接インジケーション情報の作成に基づく、ＵＥのＲＡＴ間ハンドオーバを実行するためにＵＥ内で近接インジケーション報告を設定する処理を例示するフロー図である。
【発明を実施するための形態】
【００１４】
現行のＬＴＥ実装は、ＵＥをレガシー無線ネットワーク（非ＥＵＴＲＡＮ）からＬＴＥ無線ネットワーク（ＥＵＴＲＡＮ）にハンドオーバするために、１つのＲＲＣ接続再設定メッセージをＵＥに首尾良く送達することを必要とする。さらに、ＥＵＴＲＡＮへのＵＥのハンドオーバ後、近接インジケーション報告をＵＥ内で設定するために、別個の第２のＲＲＣ接続再設定メッセージが必要とされる。
【００１５】
ＥＵＴＲＡＮへのＲＡＴ間ハンドオーバ手順において用いられるメッセージとは異なる別個のＲＲＣ接続再設定メッセージを介して近接インジケーション報告を設定するためにＥＵＴＲＡＮを必要とすることは、効率的でなく、遅延と、ＵＥの電池の限られた容量からの過度の電力消費との双方を生じさせる。このような遅延及び電力消費の問題は、ＬＴＥネットワーク全体に広げられた多数のＣＳＧの導入に伴って増幅される。何故なら、ＵＥは、ＥＵＴＲＡＮへのＲＡＴ間ハンドオーバの後に、１つ以上のＨｅＮＢ又はＣＳＧの近接性を検出するように構成されなければならないためである。従来技術のこれらの問題は、ここで提示される本発明によって解決される。
【００１６】
図１は、ここで導入される技術が実装され得るユーザ機器（ＵＥ）１００を示している。なお、ここで説明されるＵＥは該技術が実装され得る無線装置の一種類の例示であり、その他の無線装置も該技術を実装するために使用され得る。例えば、ＵＥは、携帯電話、携帯情報端末（ＰＤＡ）、ポータブル電子メール機器（例えば、Ｂｌａｃｋｂｅｒｒｙ（登録商標）機器）、ポータブルメディアプレイヤ（例えば、アップル社のｉＰｏｄ  Ｔｏｕｃｈ（登録商標））、タブレット型若しくはスレート型のコンピュータ（例えば、アップル社のｉＰａｄ（登録商標））、ノート型コンピュータ、ノートブックコンピュータ、電子リーダー、又は無線通信能力を有するその他の装置を含み得る。
【００１７】
ＵＥ１００は、電話をかけること及び受けることのため、並びにデータサービスを表示するために使用されるディスプレー１１０を含んでいる。一部の実施形態において、ディスプレー１１０は、表示されたデータの直接操作を可能にするタッチスクリーンである。ＵＥは、ＵＥの操作、ディスプレーのナビゲート、及びデータ選択を実行のための多機能入力モジュール１０４を有している。入力モジュール１０４は、例えば、キーボード、マウス、トラックボール、タッチスクリーン、又はユーザ選択を伝達することが可能なその他の入力モジュールとし得る。さらに、ＵＥは、無線ネットワークとの間で情報の送信及び受信を行うためのアンテナシステム１０６を操作する。
【００１８】
図２は、ＵＥ１００、非ＥＵＴＲＡ基幹ネットワークインフラ２０２（“非ＥＵＴＲＡＮ”）、及びＥＵＴＲＡ基幹ネットワークインフラ（“ＥＵＴＲＡＮ”）２０４の間での通信の流れ２１２及び２１６を例示するものである。非ＥＵＴＲＡＮ２０２は、ＥＵＴＲＡＮ２０４によって使用されるＲＡＴとは異なるＲＡＴを使用する何らかの無線通信技術である。例えば、非ＥＵＴＲＡＮ２０２は、ＣＤＭＡ２０００、ＵＴＭＳ、ＧＰＲＳ又はＷｉＭＡＸの規格及び技術を利用することができる。
【００１９】
非ＥＵＴＲＡＮ２０２は、非ＥＵＴＲＡＮ２０２内のその他の基地局及びネットワーク基幹要素（図示せず）と通信する１つ以上の基地局（又は、３Ｇネットワーク内の“Ｎｏｄｅ  Ｂ”）２０６を含んでいる。さらに、非ＥＵＴＲＡＮ２０２の基幹要素は、通信インフラ２１４を介して、その他のＲＡＴを使用する基地局及び基幹要素と通信することができる。１つのそのようなその他のＲＡＴは、ＥＵＴＲＡＮ２０４によって使用されるＲＡＴである。
【００２０】
ＥＵＴＲＡＮ２０４は、モバイルネットワークのための３ＧＰＰのＬＴＥアップグレードパス（path）の空気インタフェースを利用する無線通信ネットワークである。“ＥＵＴＲＡＮ”は、“evolved  UMTS  Terrestrial  Radio  Access  Network”の略語であり、ロング・ターム・エボリューションに関する３ＧＰＰ作業アイテムとしても参照され、また、３ＧＰＰのＬＴＥ仕様書の初期草稿におけるevolved  universal  terrestrial  radio  access（ＥＵＴＲＡ）としても知られている。ＥＵＴＲＡＮは、３ＧＰＰリリース５以降にて仕様決定されたＵＴＭＳ、ＨＳＤＰＡ及びＨＳＵＰＡ技術を置き換えるものとして意図された無線アクセスネットワーク規格である。ＬＴＥのＥＵＴＲＡは全く新しい空気インタフェースシステムであり、より高いデータレート及びより低いレイテンシを提供するとともに、パケットデータに最適化されている。ＥＵＴＲＡＮ２０４には、発展型Ｎｏｄｅ  Ｂ（ｅＮＢ）２０８が含まれている。ｅＮＢ２０８は、ダウンリンクに直交周波数分割多重アクセス（ＯＦＤＭＡ）による無線アクセスを使用し、且つアップリンクに単一搬送波周波数分割多重アクセス（ＳＣ−ＦＤＭＡ）を使用してＵＥと通信するとともに、ＥＵＴＲＡＮ２０４内のその他の基幹技術（図示せず）と通信する。ＥＵＴＲＡＮ２０４は通信インフラ２１４を介して非ＥＵＴＲＡＮ２０２に接続されている。
【００２１】
通信インフラ２１４は、非ＥＵＴＲＡＮ２０２とＥＵＴＲＡＮ２０４とを相互接続している。通信インフラ２１４は、マルチベンダ相互運用を可能にするために標準化されたインタフェースである。一実施形態において、通信インフラ２１４は、ＴＣＰ／ＩＰプロトコル上でパケット内の情報の変換を可能にするインターネット（図示せず）である。他の一環境において、通信インフラ２１４は、非ＥＵＴＲＡＮ２０２とＥＵＴＲＡＮ２０４との間でアナログ情報及び／又はデジタル情報の転送を可能にするシリアル伝送回線又はパラレル伝送回線である。
【００２２】
図３は、本発明の１つ以上の特徴を実現することが可能なＵＥ１００の内部構造の一実施形態を示すブロック図である。図示した実施形態において、ＵＥアーキテクチャ３００は、１つ以上のプロセッサを含むプロセッササブシステム３０２を含んだコンピュータシステムである。ＵＥアーキテクチャ３００は更に、メモリ３０４、記憶モジュール３１０、入力モジュール３１１、表示モジュール３１４、及び通信モジュール３１６を含んでおり、これらの要素の各々は、インターコネクト３０６によって相互接続され、電源３０９によって電力供給される。
【００２３】
ＵＥアーキテクチャ３００は、基地局２０６及び／又は２０８からデータ３１８を受信するハイレベルモジュールを実現することが好ましいシングルプロセッサシステム又はマルチプロセッサシステムとして具現化されることができる。受信データ３１８は通信モジュール３１６を介して通信される。通信モジュール３１６は、１つ以上の周波数に基づいてデータの受信及び送信を行うことが可能な単一又は複数のアンテナシステムを含む。データ３１８は、プロセッササブシステム３０２及びメモリ３０４によって取り出されるよう、記憶モジュール３１０に格納されることができる。プロセッササブシステム３０２は、例えばＲＡＴ間ハンドオーバを実行するようＵＥ１００を設定すること、及び近接インジケーション報告を実行するようＵＥ１００を設定することなど、本発明の特徴を実行するようにデータ３１８によって設定される。
【００２４】
例えば、更に後述するように、ｅＮＢからのＲＲＣ接続再設定メッセージの受信を受けて、通信モジュール３１６はプロセッササブシステム３０２とともに、インターコネクト３０６を介して該メッセージを記憶モジュール３１０に中継する。該メッセージのＲＡＴ間情報に基づいて、サブシステム３０２は、非ＥＵＴＲＡＮ２０２からＥＵＴＲＡＮ２０４へのハンドオーバを実行するように、該メッセージのデータ３１８に基づいて設定される。さらに、該メッセージの近接インジケーション情報に基づいて、サブシステム３０２は、近くのネットワークオブジェクトについて計測を実行し、計測結果をＥＵＴＲＡＮ２０４に報告するように設定される。
【００２５】
表示モジュール３１４は、ディスプレー１１０（図１）上で見えるように情報を示すために、ディスプレー１１０に接続するように構成される。表示情報は、テキスト情報、図形情報及び／又はマルチメディア情報から構成されることができ、グラフィカルユーザインタフェースにて提示可能である。一部の実施形態において、ディスプレー１１０は、表示された情報の直接操作を可能にするタッチスクリーンである。表示された情報は、入力モジュール１０４によって更に操作可能である。
【００２６】
入力モジュール３１１は、入力モジュール１０４を起源とする信号からデータを受信するように構成される。該信号は、入力モジュール３１１に伝送されるユーザ選択を含み得る。入力モジュール３１１は、インターコネクト３０６を介して、該信号をプロセッササブシステム３０２及びオペレーションシステム３０８に伝達する。
【００２７】
メモリ３０４は、例示的に、本発明に関連するソフトウェアプログラム及びデータ構造を格納するための、プロセッササブシステム３０２並びに構成要素３０９、３１０、３１１、３１４及び３１６によってアドレス可能な記憶位置を有する。そして、プロセッササブシステム３０２及び構成要素は、ソフトウェアコードの実行及びデータ構造の操作を行うように構成された処理素子及び／又はロジック回路を有し得る。オペレーションシステム３０８は、その部分群が典型的にメモリ内に常駐し且つプロセッササブシステム３０２によって実行されるものであり、本発明の支援として（とりわけ）ハンドオーバ及び近接インジケーションに関連する処理を起動するようにプロセッササブシステム３０２を構成することによって、ＵＥアーキテクチャ３００を機能的に編成する。当業者に明らかなように、ここで導入される技術に関するプログラム命令の格納及び実行には、その他の処理用実装、及び様々なコンピュータ読み取り可能記憶媒体を含むその他のメモリ実装が用いられてもよい。
【００２８】
当業者に認識されるように、上述のシステム３００は、基地局２０６及び２０８を操作するために使用される構造と同様の構造を有している。例えば、基地局２０６及び２０８の内部アーキテクチャは、各々がインターコネクト３０６を介して通信するように構成された、通信モジュール３１６、プロセッササブシステム３０２、メモリ３０４及び記憶モジュール３１０を含む。
【００２９】
図４は、非ＥＵＴＲＡＮ２０２、ＥＵＴＲＡＮ２０４及びＵＥ１００の間でのＲＡＴ間通信の流れを例示するものである。非ＥＵＴＲＡＮ２０２が、リロケーション要求メッセージ４０２をＥＵＴＲＡＮ２０４に送信することによって、該当ＲＡＴに適用可能な規格に従ってＥＵＴＲＡＮへのハンドオーバ手順を開始する。ＲＡＴ間ハンドオーバはバックワードハンドオーバである。すなわち、ＥＵＴＲＡＮ２０４にハンドオーバするようにＵＥ１００が（ソースの）非ＥＵＴＲＡＮ２０２によって命令される前に、（ターゲットの）ＥＵＴＲＡＮ２０４内に無線リソースが準備される。メッセージ４０２の受信を受けて、メッセージ４０２に基づいて、ＥＵＴＲＡＮ２０４は、ＲＲＣ接続再設定（“RCCConnectionReconfiguration”）メッセージ４０６に含めて非ＥＵＴＲＡＮ２０２を介してＵＥ１００に送信すべき近接インジケーション情報を生成する。非ＥＵＴＲＡＮ２０２は、ＲＲＣ接続再設定メッセージ４０６を受信すると、透過的（トランスパレント）に、ＲＲＣ接続再設定メッセージ４０６を有する非ＥＵＴＲＡＮコマンドメッセージ４０８をＵＥ１００に送信する。すなわち、更に後述するように、非ＥＵＴＲＡＮはメッセージ４０６への変更や追加を行わない。非ＥＵＴＲＡＮコマンドメッセージ４０８には、非ＥＵＴＲＡＮに一般的なフォーマットが利用されるが、メッセージのコンテンツは変更されない。その後、ＵＥは、ＲＲＣ接続再設定完了メッセージ４１０をＥＵＴＲＡＮ２０４に送信する。ＵＥ１００は、メッセージ４０８に基づいて、ＥＵＴＲＡＮ２０４へのハンドオーバのために当該ＵＥの内部アーキテクチャ３００を設定するとともに、メッセージ４１０の送信の前又は後に近接インジケーション報告を行うことを可能にするように当該ＵＥの内部アーキテクチャを設定する。近接インジケーションがＵＥ１００内で有効にされると、ＵＥ１００は、例えばＨｅＮＢ及びＣＳＧなどのオブジェクトについて計測（メジャメント）４１２を実行して、その情報４１４をＥＵＴＲＡＮ２０４に報告することができる。
【００３０】
図５ａは、非ＥＵＴＲＡＮ２０２からＥＵＴＲＡＮ２０４に送信されるＲＲＣ接続再設定メッセージ４０６の一実施形態を示している。このメッセージは、ＵＥ１００をハンドオーバするために非ＥＵＴＲＡＮ２０２から送信されるＲＡＴハンドオーバ設定データ５０２を含んでいる。さらに、ＵＥ１００が例えばマクロｅＮＢ、ＨｅＮＢ又はＣＳＧなどの遠隔通信オブジェクトの計測を行うことを可能にする近接インジケーション報告設定データ５０４がこのメッセージ内に生成される。図５ａはデータ５０２及び５０４の配置の一実施形態を示すものであり、当業者に知られるその他の配置及びフォーマットも意図される。近接インジケーション報告設定データ５０４は更に、可変量の部分要素５０５−５０８を含むことができる。各部分要素５０５−５０８は、より具体的な近接インジケーション情報を含み得る。数例を挙げると、近接性の報告（“ReportProximityConfig”）を、ＥＵＴＲＡＮ２０４内にあるときに行うか（“allowed”又は“disallowed”）、あるいは非ＥＵＴＲＡＮ２０２内にあるときに行うか（“allowed”又は“not  allowed”）、ＵＥ１００による自主的な探索が有効にされているか、及び“mobilityControlInfo”が定義されているか等である。
【００３１】
図５ｂは、図５ａのＲＲＣ接続再設定メッセージをＵＥに送信するために使用される非ＥＵＴＲＡＮからのハンドオーバコマンドメッセージの一例を示している。ＲＲＣ接続再設定メッセージ４０８は、非ＥＵＴＲＡＮ２０２によってＵＥに、非ＥＵＴＲＡＮに一般的なフォーマットで送信される。メッセージ４０８は、メッセージ４０６と、ＵＥ１００をハンドオーバするために非ＥＵＴＲＡＮ２０２によって使用されるその他の設定データ５１０とを含んでいる。一実施形態において、メッセージ４０８は、ＵＥ１００を別のＲＡＴネットワークにハンドオーバするためにＧＰＲＳネットワークによって使用されるパケット交換（ＰＳ）HANDOVER  COMMANDメッセージである。他の一実施形態において、メッセージ４０８は、HANDOVER  FROM  UTRAN  COMMANDメッセージを利用するＵＭＴＳ（ユニバーサル・モバイル・テレコミュニケーション・システム）地上無線アクセスネットワーク（ＵＴＲＡＮ）メッセージである。技術的に知られるその他のＲＡＴからのその他のメッセージフォーマットも使用され得る。
【００３２】
図６は、ＵＥ内で近接インジケーション報告を設定する処理を例示するフロー図６００である。ステップ６０２にて、第１のＲＡＴシステム（例えば、非ＥＵＴＲＡＮ２０２）が、第２のＲＡＴシステム（例えば、ＥＵＴＲＡＮ２０４）に、無線装置（例えば、ＵＥ１００）のために第２のＲＡＴでパケット交換サービスを準備することを要求する第１のメッセージを送達する。ステップ６１０にて、第２のＲＡＴシステムが、近接インジケーション設定情報を含むＲＲＣ接続再設定メッセージを生成する。ステップ６１２に記述されるように、第１のＲＡＴシステムでサービスを受けることから第２のＲＡＴシステムのパケット交換サービスを受けることへとＵＥを設定するためのＲＡＴ間ハンドオーバ情報が、第２のＲＡＴシステムで生成される。このハンドオーバ情報は、近接インジケーション設定情報とともに、ＲＲＣ接続再設定メッセージに付加される。ステップ６１４に記述されるように、第２のＲＡＴから第１のＲＡＴに第２のメッセージを送信する処理が行われる。このメッセージは、ステップ６１６にて、ＲＡＴ間ハンドオーバのために第１のＲＡＴによって使用されるフォーマットへと、第３のメッセージ内でカプセル化される。上述のように、第３のメッセージのフォーマットは該ＲＡＴの基盤技術に基づく。ステップ６１８にて、ＵＥが、ＲＲＣ接続再設定メッセージを受信し、該メッセージのコンテンツを用いて、ＲＡＴ間ハンドオーバの実行と、ＵＥ内での近接インジケーション報告の設定とを行う。
【符号の説明】
【００３３】
１００  ユーザ機器（ＵＥ）
１０４  入力モジュール
１０６  アンテナシステム
１１０  ディスプレー
２０２  非ＥＵＴＲＡＮ
２０４  ＥＵＴＲＡＮ
２０６、２０８  基地局
２１４  通信インフラ
３００  ＵＥアーキテクチャ
３０２  プロセッサ
３０４  メモリ
３０６  インターコネクト
３０８  オペレーティングシステム
３０９  電源
３１０  記憶モジュール
３１１  入力モジュール
３１４  表示モジュール
３１６  通信モジュール
３１８  データ
４０２  リロケーション要求
４０６  ＲＲＣ接続再設定メッセージ
４０８  非ＥＵＴＲＡＮハンドオーバコマンドメッセージ
５０２  ＲＡＴハンドオーバ設定データ
５０４  近接インジケーション報告設定データ
５１０  その他の設定データ
【図１】
2011151801.tif 000003
【図２】
2011151801.tif 000004
【図３】
2011151801.tif 000005
【図４】
2011151801.tif 000006
【図５ａ】
2011151801.tif 000007
【図５ｂ】
2011151801.tif 000008
【図６】
2011151801.tif 000009
【外国語明細書】
2011151801000001.pdf